(57)【要約】      （修正有）【課題】太陽電池の良否判断を効率的に行う検査システムを提供する。【解決手段】検査システム１は、太陽電池５０に電力を供給する電源装置２と、太陽電池を撮影する撮影装置３とを含み、電源装置２は、太陽電池５０の発電時に流れる電流と逆方向に直流電流を流すように、太陽電池５０の一部に電力を供給する電力供給手段と、各部分について、電力供給手段により太陽電池５０に電力を供給する順番を設定する順番設定手段と、順番設定手段により設定された順番に基づいて、電力供給手段により電力を供給する太陽電池５０を切り替える切替手段とを有し、撮影装置３は、前記太陽電池５０を撮影する撮影手段と、前記撮影手段により撮影された画像を表示する表示手段６とを有する。【選択図】図１
2016165221.tif 000002
【特許請求の範囲】
【請求項１】
太陽電池に電力を供給する電源装置と、太陽電池を撮影する撮影装置とを含む検査システムであって、
前記電源装置は、
太陽電池の発電時に流れる電流と逆方向に直流電流を流すように、前記太陽電池の一部に電力を供給する電力供給手段と、
各部分について、前記電力供給手段により前記太陽電池に電力を供給する順番を設定する順番設定手段と、
前記順番設定手段により設定された順番に基づいて、前記電力供給手段により電力を供給する前記太陽電池を切り替える切替手段と
を有し、
前記撮影装置は、
前記太陽電池を撮影する撮影手段と、
前記撮影手段により撮影された画像を表示する表示手段と
を有する
検査システム。
【請求項２】
前記太陽電池の複数の位置に設置される複数の発光手段
をさらに有し、
前記発光手段それぞれは、前記電力供給手段により電力が供給される太陽電池の位置に応じて発光する
請求項１に記載の検査システム。
【請求項３】
今回撮影された画像と以前に撮影された画像とを比較し、対応する一部の変化量、又は、太陽電池における各部分のばらつき度合の変化量を特定する比較手段
をさらに有する
請求項２に記載の検査システム。
【請求項４】
前記撮影手段は、太陽電池の複数の部分に順次電力が供給される前記太陽電池の赤外線画像を撮影し、
前記撮影装置は、
前記撮影手段により撮影された画像から電力が供給された前記太陽電池の複数の部分それぞれに相当する赤外線画像を抽出する抽出手段と、
前記抽出手段により抽出された画像を合成する合成手段と
を有する
請求項３に記載の検査システム。
【請求項５】
前記合成手段は、前記抽出手段により抽出された第１の領域と、第２の領域とを撮影された順番に合成する
請求項４に記載の検査システム。
【請求項６】
前記合成手段は、前記抽出手段により抽出された前記第１の領域と、前記第２の領域とを重ねるように合成する
請求項５に記載の検査システム。
【請求項７】
前記撮影装置は、
少なくとも赤外線領域が除かれた光を照射する照明手段
をさらに有し、
前記撮影手段は、赤外線領域のみの画像を撮影する
請求項６に記載の検査システム。
【請求項８】
前記撮影装置は、
前記電源装置から電力を供給される前記太陽電池の切り替えを指示する切替指示手段
をさらに有し、
前記撮影手段は、前記切替指示手段により切り替えた順番に前記太陽電池を撮影する
請求項７に記載の検査システム。
【請求項９】
太陽電池の発電時に流れる電流と逆方向に直流電流を流すように、前記太陽電池の一部に電力を供給する電力供給手段と、
各部分について、前記電力供給手段により前記太陽電池に電力を供給する順番を設定する順番設定手段と、
前記順番設定手段により設定された順番に基づいて、前記電力供給手段により電力を供給する前記太陽電池を切り替える切替手段と
を有する電源装置。
【請求項１０】
前記電力供給手段により前記太陽電池に電力を供給している時に、電流を検出する検出手段と、
前記電力供給手段により前記太陽電池に電力を供給している時に、前記検出手段により検出された結果に基づいて断線しているか否かを判定する判定手段と
をさらに有し、
前記判定手段は、前記検出手段により電流が検出された場合に断線していないと判定し、
前記切替手段は、前記判定手段により断線していないと判定された前記太陽電池を切り替える
請求項９に記載の電源装置。
【請求項１１】
前記電源装置は、太陽電池により発電された電力を変換するパワーコンディショナーであり、
前記電力供給手段は、前記太陽電池の複数の部分それぞれと前記パワーコンディショナーとを電気的に接続する配線を介して該太陽電池の発電時に流れる電流と逆方向に直流電流を流すよう電力を供給する
請求項１０に記載の電源装置。
【請求項１２】
太陽電池の複数の部分それぞれに電力を供給するように、前記太陽電池と電源装置とを電気的に接続し、前記太陽電池の第１の部分に直流電流を流すよう電力を供給する工程と、
電力を供給された前記第１の部分を撮影する工程と、
前記電源装置の供給先を前記第１の部分から前記第２の部分に切り替える工程と、
電力を供給された前記太陽電池の第２の部分を撮影する工程と
を有する検査方法。
【発明の詳細な説明】
【技術分野】
【０００１】
本発明は、検査システム、電源装置、及び、検査方法に関するものである。
【背景技術】
【０００２】
例えば、特許文献１には、検査対象の太陽電池を励起発光させるべく、前記検査対象の太陽電池に順方向の電圧を印加する電源手段と、前記検査対象の太陽電池の画像を撮像する撮像手段と、前記撮像手段によって撮像された画像を処理する画像処理手段と、前記画像処理手段によって処理された画像を出力する出力手段と、を備え、前記画像処理手段は、励起発光していない状態の太陽電池の第１画像と励起発光している状態の太陽電池の第２画像との差分をとることにより差分画像を生成する差分画像生成手段と、前記差分画像にフーリエ変換処理を施すことにより、前記太陽電池の画像を周波数領域のデータとして表現した第１周波数領域データに変換するフーリエ変換手段と、前記第１周波数領域データに所定のフィルタリング処理を施すことにより、前記第１周波数領域データにおける周期性のある周波数成分が低減された第２周波数領域データを生成するフィルタリング手段と、前記第２周波数領域データにフーリエ逆変換処理を施すことにより、前記モニタ画像を生成するフーリエ逆変換手段と、を備えることを特徴とする太陽電池の欠陥検査装置が開示されている。
【０００３】
また、特許文献２には、太陽電池の欠陥について評価を行う太陽電池の評価装置であって、上記太陽電池を構成する太陽電池素子に対して、順方向に電流を注入する電流注入手段と、上記電流注入手段から注入された電流によって太陽電池素子から生じる発光のうち、波長８００ｎｍ〜１３００ｎｍの第１の領域の光と、波長１４００ｎｍ〜１８００ｎｍの第２の領域の光とを検出する発光検出手段と、上記発光検出手段で検出した光のうち、上記第１の領域の発光強度と第２の領域の発光強度とを指標として、内因的欠陥と外因的欠陥とを分別する判定手段と、を備えていることを特徴とする太陽電池の評価装置が開示されている。
【０００４】
また、特許文献３には、太陽電池の性能評価を行う太陽電池の評価方法であって、上記太陽電池を構成する太陽電池素子に対して、順方向に直流電流を導入させる電流導入工程と、上記太陽電池素子を加熱するとともに、加熱する温度を可変制御する温度制御工程と、上記電流導入工程による電流の導入および上記温度制御工程による加熱によって、上記太陽電池素子から生じる光の発光特性を検出する発光検出工程と、を含むことを特徴とする太陽電池の評価方法が開示されている。
【先行技術文献】
【特許文献】
【０００５】
【特許文献１】特開２０１３−１５６２６９号公報
【特許文献２】ＷＯ２０１１／０１６４４１号公報
【特許文献３】ＷＯ２００７／１２９５８５号公報
【発明の概要】
【発明が解決しようとする課題】
【０００６】
太陽電池の良否判断を効率的に行う検査システムを提供することを目的とする。
【課題を解決するための手段】
【０００７】
本発明に係る検査システムは、太陽電池に電力を供給する電源装置と、太陽電池を撮影する撮影装置とを含む検査システムであって,前記電源装置は、太陽電池の発電時に流れる電流と逆方向に直流電流を流すように、前記太陽電池の一部に電力を供給する電力供給手段と、各部分について、前記電力供給手段により前記太陽電池に電力を供給する順番を設定する順番設定手段と、前記順番設定手段により設定された順番に基づいて、前記電力供給手段により電力を供給する前記太陽電池を切り替える切替手段とを有し、前記撮影装置は、前記太陽電池を撮影する撮影手段と、前記撮影手段により撮影された画像を表示する表示手段とを有する。
【０００８】
好適には、前記太陽電池の複数の位置に設置される複数の発光手段をさらに有し、前記発光手段それぞれは、前記電力供給手段により電力が供給される太陽電池の位置に応じて発光する。
【０００９】
好適には、今回撮影された画像と以前に撮影された画像とを比較し、対応する一部の変化量、又は、太陽電池における各部分のばらつき度合の変化量を特定する比較手段をさらに有する。
【００１０】
本発明に係る電源装置は、太陽電池の発電時に流れる電流と逆方向に直流電流を流すように、前記太陽電池の一部に電力を供給する電力供給手段と、各部分について、前記電力供給手段により前記太陽電池に電力を供給する順番を設定する順番設定手段と、前記順番設定手段により設定された順番に基づいて、前記電力供給手段により電力を供給する前記太陽電池を切り替える切替手段とを有する。
【００１１】
好適には、前記電力供給手段により前記太陽電池に電力を供給している時に、電流を検出する検出手段と、前記電力供給手段により前記太陽電池に電力を供給している時に、前記検出手段により検出された結果に基づいて断線しているか否かを判定する判定手段とをさらに有し、前記判定手段は、前記検出手段により電流が検出された場合に断線していないと判定し、前記切替手段は、前記判定手段により断線していないと判定された前記太陽電池を切り替える。
【００１２】
好適には、前記電源装置は、太陽電池により発電された電力を変換するパワーコンディショナーであり、前記電力供給手段は、前記太陽電池の複数の部分それぞれと前記パワーコンディショナーとを電気的に接続する配線を介して該太陽電池の発電時に流れる電流と逆方向に直流電流を流すよう電力を供給する。
【００１３】
本発明に係る撮影装置は、太陽電池の複数の部分に順次電力が供給される前記太陽電池の赤外線画像を撮影する撮影手段と、前記撮影手段により撮影された画像から電力が供給された前記太陽電池の複数の部分それぞれに相当する赤外線画像を抽出する抽出手段と、前記抽出手段により抽出された画像を合成する合成手段とを有する。
【００１４】
好適には、前記合成手段は、前記抽出手段により抽出された第１の領域と、第２の領域とを撮影された順番に合成する。
【００１５】
好適には、前記合成手段は、前記抽出手段により抽出された前記第１の領域と、前記第２の領域とを重ねるように合成する。
【００１６】
好適には、少なくとも赤外線領域が除かれた光を照射する照明手段をさらに有し、前記撮影手段は、赤外線領域のみの画像を撮影する。
【００１７】
好適には、前記電源装置から電力を供給される前記太陽電池の切り替えを指示する切替指示手段をさらに有し、前記撮影手段は、前記切替指示手段により切り替えた順番に前記太陽電池を撮影する。
【００１８】
本発明に係る検査方法は、太陽電池の複数の部分それぞれに電力を供給するように、前記太陽電池と電源装置とを電気的に接続し、前記太陽電池の第１の部分に直流電流を流すよう電力を供給する工程と、電力を供給された前記第１の部分を撮影する工程と、前記電源装置の供給先を前記第１の部分から前記第２の部分に切り替える工程と、電力を供給された前記太陽電池の第２の部分を撮影する工程とを有する。
【発明の効果】
【００１９】
本発明によれば、太陽電池の良否判断を効率的に行うことができる。
【図面の簡単な説明】
【００２０】
【図１】本実施形態に係る検査システム１の概要を例示する図である。
【図２】電源装置２の機能構成を説明する図である。
【図３】撮影装置３の機能構成を説明する図である。
【図４】本実施形態に係る検査選択処理（Ｓ１０）を説明するフローチャートである。
【図５】本実施形態に係る電力供給処理（Ｓ２０）を説明するフローチャートである。
【図６】本実施形態に係る画像表示処理（Ｓ３０）を説明するフローチャートである。
【図７】判定結果に関する記録情報と評価を例示する図である。
【図８】画像格納テーブルを例示する図である。
【図９】それぞれの太陽電池ストリングＳの画像を一様に励起発光する画像に合成する例を説明する図である。
【図１０】励起発光現象を鮮明にする画像の合成を説明する例示図である。
【図１１】変形例３における検査システム１を説明する図である。
【発明を実施するための形態】
【００２１】
まず、本発明に係る背景を説明する。
太陽電池の良否判断検査を行うために、励起発光現象を利用して検査を行う方法が知られている。励起発光現象を利用して検査を行う方法では、太陽電池の励起発光による光を確認するため暗室内で検査を行っていた。そのため、作業者は、太陽電池の設置される場所（例えば、建築物の屋根等）から検査対象とする太陽電池を取り外し、取り外した太陽電池を暗室に運搬してから検査を行っていた。しかしながら、メガソーラーのような規模になると全ての太陽電池の検査を行うには膨大な作業量となるため効率が悪い。また、太陽電池の中には、断線等の不具合の発見されない良好な太陽電池も含まれている可能性があるため、本来検査を行わなくてもよい太陽電池に対しても同様な作業を行っている可能性があった。
【００２２】
そこで、本発明は、太陽電池の良否判断を効率的に行う検査システムを提供することを目的とする。つまり、検査システムは、太陽電池を暗室に運ぶことなく、太陽電池の設置されるその場で太陽電池の良否判断を行う。
検査システムは、太陽電池の一部に電力を供給する電源装置と、太陽電池の複数の部分に電力を供給される太陽電池の赤外線画像を撮影する撮影装置とで構成される。
電源装置は、太陽電池を一様に励起発光させるとなると、大型化となるため持ち運びには不向きであった。そこで、電源装置は、太陽電池を一様に励起発光させず、各部分の太陽電池に対して電力を供給し順番に切り替えることで、それぞれの太陽電池を励起発光させる。よって、電源装置を小型化することができる。
しかし、撮影装置は、電源装置により順番に切り替えてそれぞれの太陽電池を励起発光させるため、一度に全ての太陽電池の撮影はできない。また、順番に切り替えて励起発光させるため、励起発光を鮮明に確認することができない。そこで、撮影装置は、撮影された赤外線画像のうち、太陽電池の複数の部分それぞれに相当する赤外線画像を抽出して合成する。よって、撮影装置は、作業者に、複数の太陽電池が一様に励起発光する赤外線画像を表示することができる。
【００２３】
このように、検査システムは、太陽電池全体に対してではなく、太陽電池の各部分に電力を供給して切り替えることにより、太陽電池に供給する電力を少なくすることができるため、電源の小型化を実現できる。
また、検査システムは、太陽電池の励起発光する太陽電池の画像を連続する画像に合成ことで、一度に全ての太陽電池の撮影を行わずとも複数の太陽電池が一様に励起発光する赤外線画像とすることができる。さらに、同じ太陽電池の励起発光する赤外線画像を合成することで、励起発光の光を鮮明に表示することができる。
したがって、作業者は、その場で撮影された画像に基づいて、さらに詳細な検査が必要な太陽電池に的を絞ることができる。
【００２４】
次に、本実施形態に係る概要を説明する。
以下、本発明の実施形態の構成を、図面を参照して説明する。ただし、本発明の範囲は、図示例に限定されるものではない。
図１は、本実施形態に係る検査システム１の概要を例示する図である。
検査システム１は、野外にある既存の太陽電池５０の検査を行う。検査システム１は、太陽電池５０の励起発光現象を確認することのできる明るさとなる時間帯に検査を行うことが好適である。
図１に例示するように、検査システム１は、撮影装置３と、電源装置２とで構成されている。
太陽電池５０は、例えば、集電盤を介して電源装置２と電気的に接続されている。この太陽電池５０は、太陽電池モジュールの集まり（太陽電池モジュール群）であり、この太陽電池モジュールが互いに直列に接続されて太陽電池ストリングＳ（Ｓ１〜Ｓ６）を構成しており、発電回路とバイパスダイオード回路とを含んでいる。太陽電池５０は、発電時に電流が流れる方向と逆方向に直流電流を流すように電力を供給することにより、発電回路が励起状態となって発光する。本実施形態では、太陽電池ストリングＳ（Ｓ１〜Ｓ６）毎に電力を供給して励起発光を行うものを具体例として説明する。
ここで、断線とは、例えば、太陽電池５０に含まれる発電回路又はバイパスダイオード回路の部品内部における結線や回路が物理的に切れている状態、若しくは、発電回路又はバイパスダイオード回路を構成する部品や材料の物性的な不良等に起因して電気的に切れている状態等が原因で太陽電池５０に流された電流を検出できない状態を含む概念である。
【００２５】
電源装置２は、太陽電池５０に直流電流を流すよう電力を供給する電力供給装置である。電源装置２は、蓄電池を備えてもよいし、外部電源から電力を太陽電池５０に供給してもよい。
電源装置２は、作業者により、例えば、集電盤を介して太陽電池５０を構成する太陽電池ストリングＳそれぞれに対して電力を供給するように電気的に接続される。
まず、電源装置２は、接続されている太陽電池ストリングＳに電力を供給する順番を設定し、設定された順番に太陽電池ストリングＳに含まれる発電回路とバイパスダイード回路が断線しているか否かを検査する。電源装置２は、太陽電池ストリングＳの検査結果に基づいて、発電回路が断線していないと判断された太陽電池ストリングＳを選択する。
次に、電源装置２は、発電回路が断線していないと判断された太陽電池ストリングを順番に切り替えて電力を供給する。電源装置２は、太陽電池ストリングＳに励起状態となる方向に電力を供給することにより、太陽電池ストリングＳを励起発光させる。
ここで、電気的に接続されている太陽電池ストリングＳに電力を供給する順番は、作業者が適宜に設定してもよいし、予め電源装置２にある接続端子の順番であってもよい。  
また、太陽電池ストリングＳを切り替えるタイミングは、作業者がリモコン２ａの操作によって行ってもよいし、電源装置２が既定の時間（例えば１秒〜１０秒）で自動的に切り替えてもよい。  
【００２６】
撮影装置３は、電源装置２により電力を供給された太陽電池５０（複数の太陽電池ストリングＳ）の赤外線画像を撮影する装置である。撮影装置３は、例えば、作業用のヘルメット等にカメラ４と、照明部８と、制御部１０とを備え、表示部６を眼鏡型とすることにより、可搬性のある装置とすることができる。撮影装置３は、カメラ４と、表示部６と、照明部８と、制御部１０とで構成されている。
［カメラ４］
カメラ４は、本発明に係る撮影部の一例である。
カメラ４は、少なくとも、太陽電池５０の励起発光現象によって発光する光を撮影する。カメラ４は、不可視光線を撮影でき、不可視光線のうち赤外線領域を撮影する。カメラ４は、赤外線領域を撮影するためのカメラでもよいし、可視光線を除去するレンズ等を取り付けて使用してもよい。また、カメラ４は、撮影する画像として動画像でもよいし静止画像でもよい。
［表示部６］
表示部６は、本発明に係る表示部の一例である。
表示部６は、カメラ４により撮影された画像を表示する。表示部６は、持ち運べる大きさであり、例えば、携帯端末型（タブレット端末又はスマートフォン等）、眼鏡型、虫眼鏡型、又は、カメラ４と一体となってもよい。
［照明部８］
照明部８は、本発明に係る発光手段の一例である。
照明部８は、既定の場所に光をあてて明るくすることができ、例えば、可視光線を除去するフィルターを取り付けられている。照明部８は、より好ましくは赤外線領域を除く光を発する。照明部８は、赤外線領域を除く光であるため、カメラ４には撮影されずに作業者の明るくしたい場所を照らすことができる。
［制御部１０］
制御部１０は、カメラ４及び表示部６を制御する。また、制御部１０は、カメラ４に撮影された赤外線画像を合成し、合成された赤外線画像を表示部６に表示させる。具体的には、制御部１０は、太陽電池５０の各部分である太陽電池ストリングＳそれぞれを撮影した赤外線画像のうち、太陽電池の励起発光する部分を含む赤外線画像を抽出して合成し、複数の太陽電池ストリングＳが一様に励起発光する赤外線画像を表示部６に表示させる。また、制御部１０は、同一の太陽電池ストリングＳの赤外線画像を重ねるように合成し、太陽電池ストリングＳの励起発光を鮮明にして表示部６に表示させる。
【００２７】
このように、検査システム１は、電源装置２により太陽電池の発電時に流れる電流と逆方向の発電回路が断線していない太陽電池５０の各部分（太陽電池ストリングＳ）に対して順番に切り替えて電力を供給し、撮影装置３により電力を供給された太陽電池ストリングＳそれぞれを撮影された赤外線画像を合成する。よって、作業者に対して太陽電池５０の状態を見える形で表示することができるため、太陽電池ストリングＳをその場で確認することができる。
【００２８】
次に、電源装置２及び撮影装置３の機能構成を説明する。
［電源装置２］
図２は、電源装置２の機能構成を説明する図である
図２に例示するように、電源装置２は、順番設定部２００、切替部２０２、電力供給部２０４、電流検出部２０６、判定部２０８、方向変更部２１０、判定結果記録部２１２、選択部２１４、及び、  通知部２１６の機能にて構成され動作する。
順番設定部２００は、本発明に係る順番設定手段の一例である。
順番設定部２００は、電源装置２と電気的に接続された太陽電池ストリングＳに電力を供給する順番を設定する。順番設定部２００は、作業者により設定された順番に基づいて、太陽電池ストリングＳに電力を供給する順番として設定してもよいし、予め接続する配線コードに順番を設定してもよい。本実施形態では、図１に例示する太陽電池ストリングＳ１〜Ｓ６の順番に電力を供給する例を具体例として説明する。
【００２９】
切替部２０２は、本発明に係る切替手段の一例である。
切替部２０２は、順番設定部２００に設定された順番に基づいて、電力を供給する各太陽電池ストリングＳを切り替える。切替部２０２は、例えば、スイッチのように電気的に電力の供給できる回路を開閉して切り替えてもよいし、回路毎に電力を供給するタイミングをずらしてもよい。
また、切替部２０２は、選択部２１４により選択された、発電回路が断線していない太陽電池ストリングＳを対象として切り替える。つまり、切替部２０２は、太陽電池ストリングＳに含まれる発電回路に断線がある励起発光しない太陽電池ストリングＳを除いて、断線していない太陽電池ストリングＳを励起発光されるために切り替える。
【００３０】
電力供給部２０４は、本発明に係る電力供給手段の一例である。
電力供給部２０４は、例えば、蓄電池（バッテリー）、又は、外部電源から太陽電池５０に供給する。電力供給部２０４は、太陽電池５０の発電時に流れる電流と逆方向に直流の電流を流すよう太陽電池５０の一部に電力を供給する。つまり、電力供給部２０４は、太陽電池５０の一部である太陽電池ストリングＳに電力を供給する。
電力供給部２０４は、一定の電圧で電力を供給する場合、太陽電池の保全上の観点から、例えば、対象となる太陽電池ストリングＳの開放電圧値以下となる電力を供給する。また、電力供給部２０４は、一定の電流で電流を流す場合、太陽電池の保全上の観点から、例えば、電流値を太陽電池の仕様に定められる短絡電流以下の値に設定する。
また、電力供給部２０４は、切替部２０２により発電回路の断線していない太陽電池ストリングＳを切り替えた時に、発電回路に直流の電流を流すよう電力を供給する。
【００３１】
電流検出部２０６は、本発明に係る電流検出手段の一例である。
電流検出部２０６は、電力供給部２０４により太陽電池ストリングＳに電力を供給している時に、太陽電池ストリングＳに流れる電流を検出する。具体的には、電流検出部２０６は、電力供給部２０４により太陽電池ストリングＳに電力を供給している時に、電力供給部２０４により太陽電池ストリングＳの発電時に流れる電流の方向と同じ方向である、バイパスダイオード回路に流れる電流を検出する。また、電流検出部２０６は、電力供給部２０４により太陽電池ストリングＳに電力を供給している時に、電力供給部２０４により太陽電池５０の発電時に流れる電流の方向と逆方向である、発電回路に流れる電流を検出する。
【００３２】
判定部２０８は、本発明に係る判定手段の一例である。
判定部２０８は、電流検出部２０６により検出された結果に基づいて、断線しているか否かを判断する。具体的には、判定部２０８は、電力供給部２００により太陽電池ストリングＳに電流を流すように電力を供給している時に、電流検出部２０６により発電時に流れる電流の方向と逆方向に流れる電流を検出されない場合に、太陽電池ストリングＳに含まれる発電回路が断線していると判定する。つまり、判定部２０８は、発電回路の断線の有無を判定する。
また、判定部２０８は、電力供給部２００により太陽電池ストリングＳに電流を流すように電力を供給している時に、電流検出部２０６により発電時に流れる電流の方向と同じ方向に流れる電流を検出されない場合に、太陽電池ストリングＳに含まれるバイパスダイオード回路が断線していると判定する。つまり、判定部２０８は、バイパスダイオード回路の断線の有無を判定する。
また、判定部２０８は、太陽電池ストリングＳに含まれる発電回路とバイパスダイオード回路との判定結果を判定結果記録部２１２に記録する。
また、判定部２０８は、太陽電池５０のうち、電源装置２と接続されている太陽電池ストリングＳの断線判定を終えたか否かを判定する。具体的には、判定部２０８は、太陽電池ストリングＳに含まれる発電回路とバイパスダイオード回路との判定を終えたか否かを判定し、発電回路とバイパスダイオード回路との判定を終えた場合に、切替部２０２に、未検査である太陽電池ストリングＳに切り替えさせる。
また、判定部２０８は、発電回路とバイパスダイオード回路との判定結果に基づいて、判定された太陽電池ストリングＳの状態を通知部２１６及び通知部３００を介して表示部３１２に表示させてもよい（図７（ｂ）参照）。
【００３３】
方向変更部２１０は、電力供給部２００により太陽電池ストリングＳに流す電流の方向を変更する。具体的には、方向変更部２１０は、太陽電池ストリングＳの発電時に流れる電流の方向と同じ方向（バイパスダイオード回路）と、発電時に流れる電流の方向と逆方向（発電回路）とを切り替えて変更する。
【００３４】
判定結果記録部２１２は、判定部２０８により判定された結果を記録する。具体的には、判定結果記録部２１２は、太陽電池ストリングＳに含まれる発電回路とバイパスダイオード回路と判定結果を記録する（図７（ａ）参照）。
【００３５】
選択部２１４は、判定結果記録部２１２により記録される判定結果に基づいて、少なくとも発電回路が断線していない太陽電池ストリングＳを選択する。
【００３６】
通知部２１６は、撮影装置２の通知部３００に通知する。
具体的には、通知部２１６は、切替部２０２により、電力供給部２０４が電力を供給する太陽電池ストリングＳを切り替えたことを撮影装置２の通知部３００に通知する。
また、通知部２１６は、選択部２１４により選択された太陽電池ストリングＳに関する情報、例えば、判定結果記録部２１２に記録された判定結果に基づく評価を通知部３００を介して表示部３１２に表示させる（図７（ｂ）参照）。
また、通知部２１６は、切り替えられた太陽電池ストリングＳに対して、電力供給部２０４が電力を供給したことを通知部３００に通知する。
また、通知部２１６は、撮影装置２の通知部３００からの通知を受ける。具体的には、通知部２１６は、撮影部３０２から撮影したことを通知部３００を介して通知を受け、電力供給部２０４にその旨を通知する。
【００３７】
［撮影装置３］
図３は、撮影装置３の機能構成を説明する図である
図３に例示するように、撮影装置３は、通知部３００、撮影部３０２、画像取込部３０４、画像格納部３０６、画像抽出部３０８、画像合成部３１０、及び、表示部３１２、の機能にて構成され動作する。
通知部３００は、電源装置２の通知部２１６からの通知を受ける。通知部３００は、の通知部２１６から受けた通知である、切替部２０２により切り替えた太陽電池ストリングＳ又は評価を表示部３１２に表示して、作業者に通知する。また、通知部３００は、切替部２０２により太陽電池ストリングＳを切り替えたことを撮影部３０２に通知して撮影させる。
本実施形態では、作業者に通知する方法として、表示部３１２を介して作業者に通知する形態を具体例として説明するが、その他に、音声通知、光通知、音通知等を適宜に選択することができる。
【００３８】
撮影部３０２は、本発明に係る撮影手段の一例である。
撮影部３０２は、通知部３００から通知を受けて、電源装置２の機能構成である電力供給部２０４に電力を供給される太陽電池ストリングＳの赤外線画像を撮影する。具体的には、撮影部３０２は、通知部３００から、切替部２０２により励起発光させる太陽電池ストリングＳに切り替えた旨の通知を受けて、太陽電池ストリングＳをカメラ４に撮影させる。このとき、撮影部３０２は、電力供給部２０４により、太陽電池ストリングＳの発電時に流れる電流と逆方向（発電回路）に電流を流し、太陽電池ストリングＳの励起発光に同期して赤外線画像をカメラ４に撮影させる。撮影部３０２は、撮影する画像として動画像でもよいし静止画像でもよい。
【００３９】
画像取込部３０４は、撮影部３０２より撮影された赤外線画像を取り込む。具体的には、画像取込部３０４は、撮影部３０２よりカメラ４に撮影させた赤外線画像を取り込み、画像格納部３０６に格納する。
【００４０】
図８は、画像格納テーブルを例示する図である。
画像格納部３０６は、画像取込部３０４により取り込まれた赤外線画像を格納する。図８に例示するように、例えば、画像格納部３０６は、撮影された太陽電池ストリングＳと撮影回数とのテーブルに撮影された赤外線画像が格納される。画像格納部３０６は、例えば、撮影された赤外線画像に撮影日時を付けて格納する。
【００４１】
画像抽出部３１０は、本発明に係る抽出手段の一例である。
画像抽出部３１０は、撮影部３０２により撮影された赤外線画像から電力が供給された太陽電池５０複数の部分である太陽電池ストリングＳそれぞれに相当する赤外線画像を抽出する。具体的には、画像抽出部３０８は、画像格納部３０６により格納された画像の中から、太陽電池ストリングＳの励起発光する部分を含む画像を抽出する。
画像抽出部３０８は、撮影部３０２により撮影された画像全体、又は、太陽電池ストリングＳの励起発光する部分の画像を抽出する。
【００４２】
画像合成部３１０は、本発明に係る合成手段の一例である。
画像合成部３１０は、撮影部３０２により撮影された画像を合成する。具体的には、画像合成部３１０は、画像抽出部３０８により抽出された第１の領域と、第２の領域とを撮影された順番に合成する。例えば、第１の領域を励起発光する太陽電池ストリングＳ１を含む第１の画像とし、第２の領域を励起発光する太陽電池ストリングＳ２を含む第２の画像とした場合に、画像合成部３１０は、第１の画像と第２の画像と撮影された順番に並べて合成することにより、画像内で各部分の太陽電池ストリングＳが一様に励起発光する画像に合成する。
また、画像合成部３１０は、第１の領域と、前記第２の領域とを重ねるように合成する。例えば、撮影された順に、第１の領域を励起発光する太陽電池ストリングＳ１を含む第１の画像とし、第２の領域を第１の画像と異なる時間に撮影された太陽電池ストリングＳ１を含む第２の画像とした場合に、画像合成部３１０は、第１の画像と第２の画像と撮影された順番に重ねるように合成することにより、第１の画像と第２の画像とにある太陽電池ストリングＳ１の励起発光を重ねることで励起発光の光を鮮明な画像とする。
【００４３】
表示部３１２は、画像合成部３１０により合成された画像を表示部６に表示させる。また、表示部３１２は、通知部３００により通知された情報を表示部６に表示させる。
【００４４】
次に、本実施形態に係る検査方法を説明する。
図４は、本実施形態に係る検査選択処理（Ｓ１０）を説明するフローチャートである。
電源装置２は、検査選択処理（Ｓ１０）及び電力供給処理（Ｓ２０）に基づいて動作する。
まず、電源装置２は、検査選択処理（Ｓ１０）に基づいて動作する。検査選択処理（Ｓ１０）では、太陽電池ストリングＳが断線しているか否かを検査し、少なくとも発電回路が断線していない太陽電池ストリングＳを選択する。
図４に例示するように、ステップ１００（Ｓ１００）において、作業者は、太陽電池ストリングスＳ（Ｓ１〜Ｓ６）に直流の電流を流すように電力を供給する準備を行う。作業者は、電源装置２を集電盤に接続し、電気的に接続した太陽電池ストリングＳに対して直流の電流を流す順番を設定する。順番設定部２００は、例えば、作業者により設定された順番に基づき、直流の電流を流す順番として設定する。
【００４５】
ステップ１０２（Ｓ１０２）において、切替部２０２は、順番設定部２００に設定された順番に基づいて、直流の電流を流す太陽電池ストリングスＳ（Ｓ１〜Ｓ６）を切り替える。電力供給部２０４は、切替部２０２により切り替えて接続された太陽電池ストリングスＳに対して直流の電流を流すように電力を供給する。
ここで、本実施形態では、発電回路を先に判定する場合を具体例として説明するため、電力供給部２０４は、発電回路とバイパスダイオード回路とのうち、発電回路である、太陽電池ストリングスＳの発電時に電流の流れる方向と逆方向に電力を供給する。
【００４６】
ステップ１０４（Ｓ１０４）において、電流検出部２０６は、電力供給部２０４により太陽電池ストリングスＳに電力を供給している時に、電流を検出する。判定部２０８は、電力供給部２００により太陽電池ストリングＳに電流を流すように電力を供給している時に、電流検出部２０６により検出された結果に基づいて、断線しているか否かを判断する。
判定部２０８は、バイパスダイオード回路に供給された電流を検出された場合に、断線していないと判定する。また、判定部２０８は、発電回路に供給された電流を検出された場合に、断線していないと判定する。
判定部２０８は、太陽電池ストリングＳに含まれる発電回路とバイパスダイオード回路との判定結果を判定結果記録部２１２に記録する。
【００４７】
ステップ１０６（Ｓ１０６）において、判定部２０８は、太陽電池ストリングＳに含まれる発電回路とバイパスダイオード回路との判定を終了したかを判定する。判定部２０８は、発電回路とバイパスダイオード回路との判定を終了していない場合に、ステップＳ１０８（Ｎｏ：Ｓ１０８）の処理に移行する。
また、判定部２０８は、発電回路とバイパスダイオード回路との判定を終了した場合に、ステップＳ１１０（Ｙｅｓ：Ｓ１１０）の処理に移行する。
【００４８】
ステップ１０８（Ｓ１０８）において、方向変更部２１０は、太陽電池ストリングＳの発電時に流れる電流の方向と同じ方向（バイパスダイオード回路）と、太陽電池ストリングＳの発電時に流れる電流の方向と逆の方向（発電回路）と、を切り替えて変更する。
ここで、本実施形態では、先に発電回路を判定したため、次にバイパスダイオード回路を判定する。
【００４９】
ステップ１１０（Ｓ１１０）において、判定部２０８は、太陽電池５０のうち、電源装置２に接続される各部分の太陽電池ストリングＳに対して、発電回路とバイパスダイオード回路との判定を終えたか否かを判定する。
判定部２０８は、各部分の太陽電池ストリングＳに対して判定を終えていない場合に、ステップＳ１１２（Ｎｏ：Ｓ１１２）の処理に移行する。また、判定部２０８は、各部分の太陽電池ストリングＳに対して判定を終えた場合に、ステップＳ１１４（Ｙｅｓ：Ｓ１１４）の処理に移行する。
【００５０】
ステップ１１２（Ｓ１１２）において、切替部２０２は、判定部２０８の判定結果に基づいて、太陽電池５０のうち、電源装置２に接続される各部分の太陽電池ストリングＳの未検査である太陽電池ストリングＳに切り替える。
【００５１】
図７は、判定結果に関する記録情報と評価を例示する図である。
ステップ１１４（Ｓ１１４）において、選択部２１４は、判定結果記録部２１２に記録される判定結果から、太陽電池ストリングＳの発電回路が断線していない太陽電池ストリングＳを選択する。
通知部２１６は、選択部２１４により、少なくとも、選択された太陽電池ストリングＳの情報を撮影装置３の表示部３１２に通知する。具体的には、図７（ｂ）に例示するように、通知部２１６は、判定結果記録部２１２に記録される判定結果に基づいて、太陽電池ストリングＳ毎に対する評価を表示部３１２に通知する。また、通知部２１６は、断線していると判定された太陽電池ストリングＳを通知する。
本実施形態では、図７（ａ）に例示するように、太陽電池ストリングＳ３、及び、太陽電池ストリングＳ６の発電回路が断線している場合を具体例として説明する。そのため、本実施形態での選択部２１４は、太陽電池ストリングＳ１、Ｓ２、Ｓ４及びＳ５を選択し、順に切り替える。
このように、電源装置２は、検査処理（Ｓ１０）に基づいて動作する。電源装置２は、検査選択処理（Ｓ１０）を終了し、次に電力供給処理（Ｓ２０）に移行する。
【００５２】
図５は、本実施形態に係る電力供給処理（Ｓ２０）を説明するフローチャートである。電力供給処理（Ｓ２０）では、検査選択処理（Ｓ１０）で選択された複数の太陽電池ストリングＳを順番に励起発光させる。
電源装置２は、検査処理（Ｓ１０）を終了後、電力供給処理（Ｓ２０）に基づいて動作する。電源装置２は、電力供給処理（Ｓ２０）を連続的に行う。
図５に例示するように、ステップ２００（Ｓ２００）において、切替部２０２は、順番設定部２００に設定された順番に基づいて、選択された太陽電池ストリングＳを切り替える。切替部２０２は、選択部２１４により選択された太陽電池ストリングＳを切り替える場合、例えば、電力供給部２０４が太陽電池ストリングＳに電力を供給し終えてから切り替える。
また、切替部２０２は、選択部２１４により選択された太陽電池ストリングＳを作業者からのリモコン２ａの操作を受け付けてから切り替えてもよい。
【００５３】
ステップ２０２（Ｓ２０２）において、通知部２１６は、順番設定部２００に設定された順に切り替えたことを撮影装置３の通知部３００に通知する。表示部３１２は、通知部３００から切り替えた太陽電池ストリングＳの情報を表示部４に表示させる。
【００５４】
ステップ２０４（Ｓ２０４）において、電力供給部２０４は、順番設定部２００により設定された順番に基づいて、選択部２１４に選択された太陽電池ストリングＳに直流の電流を流すように電力を供給し、供給した後に電力を供給を停止する。
具体的には、例えば、電力供給部２０４は、太陽電池ストリングＳに既定の時間（例えば１秒〜１０秒）の間電力を供給し、通知部２１６は、電力の供給を行っている旨を撮影装置２の通知部３００に通知する。撮影部３０２は、通知部３００からの通知を受けて撮影し、通知部３００及び通知部２１６は、撮影したことを電力供給部２０４に通知する。電力供給部２０４は、受けた通知に基づいて電力の供給を停止する。
また、作業者が電力供給部２０４の電力供給の開始と停止とを作業者のリモコン２ａ操作で行ってもよい。また、作業者が太陽電池ストリングＳに電力供給を行っている時に、撮影してもよい。
このように、電源装置２は、電力供給処理（Ｓ２０）に基づいて動作し、この処理を連続的に行う。
【００５５】
図６は、本実施形態に係る画像表示処理（Ｓ３０）を説明するフローチャートである。
撮影装置３は、画像表示処理（Ｓ３０）に基づいて動作する。
図６に例示するように、ステップ３００（Ｓ３００）において、作業者は、撮影装置３の切り替え順に従って、撮影対象となる太陽電池ストリングＳを撮影する。
通知部３００は、電源装置２の通知部２１６からの通知に基づいて太陽電池ストリングＳを切り替えて、電力を供給している旨を撮影部３０２に通知し、撮影部３０２は、通知部３００からの通知に基づいて電力を供給されて励起発光する太陽電池ストリングＳをカメラ４に撮影させる。このとき、通知部３００は、電源装置２の通知部２１６からの通知に基づいて、撮影対象となる太陽電池ストリングＳの判定結果記録情報（図７（ｂ））を表示部３１２に通知してもよい。
通知部３００は、撮影部３０２により撮影されたことを通知部２１６を介して電力供給部２０４に通知する。
【００５６】
ステップ３０２（Ｓ３０２）において、画像取込部３０４は、撮影部３０２によりカメラ４に撮影させた太陽電池ストリングＳの赤外線画像を画像格納部３０６に取り込む。
【００５７】
図８は、画像格納テーブルを例示する図である。
ステップ３０４（Ｓ３０４）において、画像格納部３０６は、画像取込部３０４により取り込まれた赤外線画像を格納する。図８に例示するように、画像格納部３０６は、撮影された太陽電池ストリングＳと撮影回数とのテーブルに、撮影された日時に画像を関連づけて格納する。
【００５８】
ステップ３０６（Ｓ３０６）において、画像抽出部３０８は、画像格納部３０６により格納された画像の中から合成する画像を抽出する。画像抽出部３０８は、太陽電池５０の複数の部分それぞれに相当する画像のうち、励起発光する部分を含む画像を抽出する。画像抽出部３０８は、撮影部３０２により撮影された画像全体、又は、太陽電池ストリングＳの励起発光する部分の画像を抽出する。
【００５９】
図９は、それぞれの太陽電池ストリングＳの赤外線画像を一様に励起発光する画像に合成する例を説明する図である。
図１０は、励起発光現象を鮮明にする赤外線画像の合成を説明する例示図である。
図９及び図１０は、赤外線画像の合成を説明するために模式的に例示している。
ステップ３０８（Ｓ３０８）において、図８に例示するように、画像合成部３１０は、画像抽出部３０８により抽出された画像を合成する。
画像合成部３１０は、複数の太陽電池ストリングＳが一様に励起発光する画像の合成として合成Ａを行う。例えば、合成Ａ１に着目すると、画像合成部３１０は、画像抽出部３０８により抽出された撮影回数１回目の異なる太陽電池ストリングＳ１、Ｓ２、Ｓ４及びＳ５のそれぞれの赤外線画像を撮影された順番に合成し、画像内に複数の太陽電池ストリングＳが一様に励起発光する画像に合成する。図９に例示するように、画像合成部３１０は、太陽電池ストリング（Ｓ１、Ｓ２、Ｓ４及びＳ５）それぞれの赤外線画像に基づいて、複数の太陽電池ストリングＳが一様に励起発光する画像に合成する。
また、画像合成部３１０は、同じ太陽電池ストリングＳの赤外線画像を重ね合わせる合成Ｂを行う。例えば、合成Ｂ１及びＢ４に着目すると、画像合成部３１０は、画像抽出部３０８により抽出された同じ太陽電池ストリングＳの赤外線画像を重ね合わせて画像を合成する。図１０に例示するように、画像合成部３１０は、同じ太陽電池ストリングＳ（Ｓ１及びＳ４）の赤外線画像を重ね合わせるように合成することで、励起発光する微光を鮮明にする。このように、画像合成部３１０は、これら合成を行うことで、励起発光する光を鮮明に表示した一様に励起発光する画像を合成する。
また、画像合成部３１０は、画像取込部３０４により取り込まれた赤外線画像のうち、動画像の赤外線画像である場合、動画像の赤外線画像と画像抽出部２０８により抽出された赤外線画像とを合成してもよい。
また、画像合成部３１０は、合成した画像を既定の場所に保存してもよい。
【００６０】
ステップ３１０（Ｓ３１０）において、表示部３１２は、画像合成部３１０により合成された画像を表示部６に表示させる。具体的には、図９（ｂ）に例示するように、表示部３１２は、励起発光を鮮明にさせた一様に励起発光する画像を表示する。
このように、撮影装置３は、画像表示処理（Ｓ２０）に基づいて動作し連続的に行う。
【００６１】
以上説明したように、本発明に係るは、検査システム１は、太陽電池全体に対してではなく、太陽電池の各部分に電力を供給して切り替えることにより、太陽電池に供給する電力を少なくすることができるため、電源の小型化を実現できる。
また、検査システム１は、検査対象とする太陽電池を設置された状態のままで、太陽電池の一部を励起発光させて撮影し、撮影された各部分の太陽電池の赤外線画像を合成することで励起発光の光を鮮明でき、かつ、各部分の太陽電池が一様に励起発光する画像を合成することができる。よって、作業者は、その場で撮影された画像に基づいて検査が必要な太陽電池に的を絞ることができる。
さらに、励起発光させる前に太陽電池ストリングＳを切り替えて電力を供給するため、電源装置２の電源を小さくすることができる。
また、検査システム１は、撮影装置３を可搬することのできる大きさに構成することにより、既定の位置に設置される太陽電池を取り外すことなく検査することができる。
以上、本発明に係る実施形態について説明したが、これらに限定されるものではなく、発明の趣旨を逸脱しない範囲内において、種々の変更、追加等が可能である。
【００６２】
［変形例１］
実施形態では、太陽電池ストリングＳ毎に着目して撮影し、複数の太陽電池ストリングＳが一様に励起発光する画像に合成する場合を説明したが、これに限定するものではない。変形例１では、例えば、少なくとも電源装置２と電気的に接続される太陽電池ストリングＳ全体を撮影できる位置にカメラ４を設置して撮影する。
画像合成部３１０は、電力を供給されて励起発光する太陽電池ストリングＳを含む、太陽電池ストリングＳ全体を撮影した赤外線画像を撮影された順番に合成してもよい。
また、画像合成部３１０は、太陽電池ストリングＳ全体を撮影した赤外線画像と、太陽電池ストリングＳの電力を供給されて励起発光する部分を抽出した赤外線画像とを順番に合成してもよい。このように、励起発光する太陽電池ストリングＳを一様に励起発光する画像を合成する。
【００６３】
［変形例２］
撮影装置２は、移動した距離を計測できるセンサである例えば、加速度計をカメラ４に備えてもよい。撮影装置２は、加速度計を備えることにより、カメラ４の移動に合わせて、表示部３１２の表示する画像も連動して移動するため、作業者の見る場所に対応する位置の画像を表示することができる。また、撮影装置２は、カメラ４の移動距離が既定の移動量を越えた場合に撮影部３０２がカメラ４に撮影させる構成としてもよい。
【００６４】
［変形例３］
図１１は、変形例３における検査システム１を説明する図である。
変形例３では、太陽電池ストリングＳに発光装置３０を設置する場合を説明する。
発光装置３０は、本発明に係る発光手段の一例である。
検査システム１は、発光装置３０をさらに有し、発光装置３０は、例えば、複数の太陽電池ストリングＳそれぞれに設置される。発光装置３０は、電力供給部２０４により太陽電池ストリングＳに発電時に電流の流れる方向と逆方向に直流電流を流すように電力を供給している時に、電力を供給されている太陽電池ストリングＳに応じた発光装置３０が発光する。
図１１に例示するように、太陽電池ストリングＳには、それぞれの配線Ａ〜Ｆが接続されている。ここで変形例３では、どの太陽電池ストリングＳに配線Ａ〜Ｆが対応しているか分からない状態である場合として説明する。
検査システム１は、それぞれの太陽電池ストリングＳに対応するよう発光装置３０を設置されている。作業者は、リモコン２ａを操作し、例えば、電源装置２に配線Ｂに電力を供給するよう指示する。電源装置２は、配線Ｂに電力を供給し、電力を供給される太陽電池ストリングＳに応じた発光装置３０が発光する。例えば、太陽電池ストリングＳ１に電力が供給され、設置された発光装置３０が発光する。作業者は、表示部６に表示される画像を見ながら、電力を供給されている太陽電池ストリングＳ１の配置場所と、太陽電池ストリングＳ１に対応する配線が配線Ｂであると特定することができる。
このように、検査システム１は、発光装置３０を複数の太陽電池ストリングＳそれぞれに設置し、電力を供給されている太陽電池ストリングＳの発光装置３０を発光させることにより、作業者に対して電力を供給している太陽電池ストリングＳに関する配置位置や配線や端子を示すことができるため、配線や回路の分からない太陽電池に有効である。また、作業者は、一度行えば画像を見るだけで太陽電池５０の回路を把握することができる。
また、発光装置３０は、カメラ４に撮影されるために赤外線領域を含むよう発光してもよく、検査システム１は、画像合成部３１０により発光装置３０の光を含む赤外線画像を合成する場合に、発光装置３０の光を合成するための基準点として用いてもよい。
【００６５】
［変形例４］
変形例４では、検査システム１は、赤外線画像を比較する比較部３２４をさらに備える場合を説明する。
比較部３２４は、本発明に係る比較手段の一例である。
比較部３２４は、今回撮影された赤外線画像と以前に撮影された赤外線画像とを比較し、対応する一部の変化量、又は、太陽電池における各部分のばらつき度合の変化量を特定する。具体的には、比較部３２４は、撮影された赤外線画像のうち対応する一部として、例えば、太陽電池ストリングＳに含まれる太陽電池モジュール又は太陽電池セルを比較してそれぞれの明度の低下具合の変化量を特定する。
また、比較部３２４は、各部分のばらつき度合として明度の分散値を算出し、算出された分散値の変化量を特定する。作業者は、分散値の変化量に基づいて、撮影された太陽電池の発電能力の低下具合を確認することができる。
このように、検査システム１は、分散値の変化量を特定することにより、撮影時の温度や太陽電池５０の表面の汚れ具合により太陽電池５０の励起発光に影響を与える場合であっても影響なく比較することができる。また、検査システム１は、撮影した赤外線画像を用いて比較することにより太陽電池５０の経年変化を確認することができる。
【００６６】
［変形例５］
実施形態では、電源装置２を用いて太陽電池ストリングＳに電力を供給する場合を説明したが、これに限定するものではない。変形例５では、電源装置２がパワーコンディショナー２０である場合を説明する。
パワーコンディショナー２０は、配線を介して複数の太陽電池ストリングＳそれぞれと電気的に接続する。
パワーコンディショナー２０は、それぞれの太陽電池ストリングＳによって発電された電力を、配線を介して再びそれぞれの太陽電池ストリングＳに直流電流を流すよう電力を供給することで、太陽電池ストリングＳに含まれる発電回路及びバイパスダイオード回路を診断することができる。さらに、パワーコンディショナー２０は、太陽電池ストリングＳによって発電された電力を配線を介して、発電時に電流の流れる方向と逆方向に電流を流すよう太陽電池ストリングＳに電力を供給することで、太陽電池ストリングＳに含まれる発電回路を励起発光させることができる。
このように、パワーコンディショナー２０は、太陽電池ストリングＳによって発電された電力を、再び太陽電池ストリングＳに供給することで、外部電源等を必要とせずに太陽電池ストリングＳを励起発光させることができる。また、パワーコンディショナー２０は、太陽電池ストリングＳに発電された電力をそのまま太陽電池ストリングＳに供給するため、電力を交流から直流に変換することなく太陽電池ストリングＳに供給することができる。
【符号の説明】
【００６７】
１      検査システム
２      電源装置
３      検査装置
４      カメラ
６      表示部
８      照明部
１０    制御部
５０    太陽電池
Ｓ      太陽電池ストリング
［電源装置２］
２００  順番設定部
２０２  切替部
２０４  電力供給部
２０６  電流検出部
２０８  判定部
２１０  方向変更部
２１２  判定結果記録部
２１４  選択部
２１６  通知部
［撮影装置３］
３００  通知部
３０２  撮影部
３０４  画像取込部
３０６  画像格納部
３０８  画像抽出部
３１０  画像合成部
３１２  表示部
【図１】
2016165221.tif 000003
【図２】
2016165221.tif 000004
【図３】
2016165221.tif 000005
【図４】
2016165221.tif 000006
【図５】
2016165221.tif 000007
【図６】
2016165221.tif 000008
【図７】
2016165221.tif 000009
【図８】
2016165221.tif 000010
【図９】
2016165221.tif 000011
【図１０】
2016165221.tif 000012
【図１１】
2016165221.tif 000013